(57)【要約】【課題】マーキング部を露出させたときに被覆部材が紛失することを抑制できる探知具を提供すること。【解決手段】磁石探知機２０は、摺接面３４を有する筐体２１と、筐体２１の内部に設けられた探知部と、摺接面３４から筐体２１の外へ露出して、探知された永久磁石の位置を壁材の表面に表記するためのマーキング部６５と、を備える。また、磁石探知機２０は、筐体２１と一体であり、マーキング部６５を覆う被覆部材２２を備える。被覆部材２２は、マーキング部６５を覆う第１位置と、マーキング部６５を露出させ、かつ摺接面３４と同一面上に位置する第２位置Ｐ２とに移動可能である。【選択図】図５
2020159934.tif 000002
【特許請求の範囲】
【請求項１】
建築物の隠蔽材の裏側に配設された被探知体を前記隠蔽材の表側から探知する探知具であって、
前記被探知体の探知の際に前記隠蔽材の表面に沿わす摺接面を有する筐体と、
前記筐体の内部に設けられ、前記隠蔽材の裏側に配設された前記被探知体を探知する探知部と、
前記探知部によって探知された前記被探知体の位置を前記隠蔽材の表面に表記するためのマーキング部と、
前記筐体に組付けられて前記マーキング部を覆う被覆部材と、を備え、
前記被覆部材は、前記マーキング部を覆う第１位置と、前記マーキング部を露出させ、かつ前記摺接面と同一面上に位置する、又は前記摺接面よりも前記隠蔽材の表面から離れた第２位置とに移動可能であることを特徴とする探知具。
【請求項２】
前記被覆部材は、前記第１位置と前記第２位置との間を、前記摺接面の面方向に沿ってスライド移動可能に前記筐体に組付けられている請求項１に記載の探知具。
【請求項３】
前記筐体は、前記被覆部材がスライド移動するスライド方向に長手が延びるスライド溝と、前記被覆部材の前記第２位置において、前記摺接面よりも凹み前記被覆部材を収納する収容凹部と、を備え、前記スライド溝は、前記スライド方向の前記第１位置側に位置する溝部と、当該溝部よりも前記スライド方向の前記第２位置側において前記溝部に連続し、かつ前記摺接面と反対側に向けて広がり、前記溝部より幅広な拡張溝部とから構成され、
前記被覆部材は、前記スライド溝に挿入される掛止突部を備え、
前記被覆部材が前記第２位置に位置するとき、前記拡張溝部に前記掛止突部が入り込むことで、前記被覆部材は前記収容凹部に収納される位置に移動可能である請求項２に記載の探知具。
【請求項４】
前記筐体は、前記摺接面及び前記収容凹部を有する基部と、当該基部とともに前記探知部を収納するカバー本体と、を有するとともに、前記基部と前記カバー本体との間に前記スライド溝が位置し、前記基部と前記カバー本体は、前記スライド溝の短手方向に沿って溝幅を狭めるように相対的に移動可能であり、前記被覆部材が前記第１位置に位置するとき、前記マーキング部と前記摺接面との相対的な移動を規制する規制構造を有する請求項３に記載の探知具。
【請求項５】
前記基部と前記カバー本体の相対的な移動がない状態では、前記マーキング部は、前記摺接面よりも前記筐体の内側へ控えた位置にあり、前記基部と前記カバー本体の相対的な移動により、前記マーキング部と前記摺接面は、前記摺接面に交差する方向へ相対的に移動し、当該相対的な移動により前記マーキング部は前記摺接面よりも飛び出し可能であり、前記被覆部材が前記第１位置に位置するとき、前記溝部に前記掛止突部が入り込むことで前記規制構造を構成する請求項４に記載の探知具。
【請求項６】
前記筐体は、前記基部と前記カバー本体とを相対的に移動させるために軸支する軸支部を備え、前記カバー本体を前記隠蔽材の表面に向かって押し付けることで、前記軸支部を傾動中心として前記基部に対し前記カバー本体が相対的に傾動し、前記摺接面よりも前記筐体の内側へ控えた位置に設けられた前記マーキング部を前記摺接面よりも飛び出させる請求項５に記載の探知具。
【発明の詳細な説明】
【技術分野】
【０００１】
本発明は、建築物の隠蔽材の裏側に配設された被探知体を隠蔽材の表側から探知する探知具に関する。
【背景技術】
【０００２】
建築物の壁に取り付けられるスイッチ等の配線器具は、壁材の裏側に配設された配線用ボックスに取り付けられる。配線用ボックスは前面に開口する有底四角箱状である。配線用ボックスは、壁材が配線用ボックスの開口側に配置される前、当該開口側が、壁材の裏面に臨むように柱等の構造体に取り付けられる。配線用ボックスが構造体に取り付けられた後、配線用ボックスの開口側に壁材が設置され、配線用ボックスが壁材の裏側に隠蔽される。そして、配線用ボックスにスイッチ等の配線器具を接続する際は、壁材の表側から配線用ボックスの位置を探し、壁材において、探知された配線用ボックスの隠蔽されている位置に孔をあけて配線用ボックスを壁材の表側へ露出させ、その配線用ボックスに配線器具を取り付ける。
【０００３】
配線用ボックスの位置を壁材の表側から探し出すため、配線用ボックスには磁石が配設され、その磁石を探知することで配線用ボックスの位置を探し出す探知具が使用されている（例えば、特許文献１）。特許文献１に記載の磁石探知機は、磁石から生じる磁束線をホール素子で検出し、そのホール素子の検出結果を表示手段によって使用者に示す。壁材の表側から磁石を探知した後は、探知した磁石の位置を壁材の表面に表記する。特許文献１の磁石探知機は、磁石の位置を壁材の表面に表記するためのスタンプを備える。このスタンプは、磁石探知機に未使用時は被覆部材によって覆われ、保護されている。
【先行技術文献】
【特許文献】
【０００４】
【特許文献１】特開２００７−１０１４５１号公報
【発明の概要】
【発明が解決しようとする課題】
【０００５】
ところが、特許文献１の磁石探知機においては、マーキングのためにスタンプを露出させたときに被覆部材を紛失する虞があった。
本発明の目的は、マーキング部を露出させたときに被覆部材が紛失することを抑制できる探知具を提供することにある。
【課題を解決するための手段】
【０００６】
上記問題点を解決するための探知具は、建築物の隠蔽材の裏側に配設された被探知体を前記隠蔽材の表側から探知する探知具であって、前記被探知体の探知の際に前記隠蔽材の表面に沿わす摺接面を有する筐体と、前記筐体の内部に設けられ、前記隠蔽材の裏側に配設された前記被探知体を探知する探知部と、前記探知部によって探知された前記被探知体の位置を前記隠蔽材の表面に表記するためのマーキング部と、前記筐体に組付けられて前記マーキング部を覆う被覆部材と、を備え、前記被覆部材は、前記マーキング部を覆う第１位置と、前記マーキング部を露出させ、かつ前記摺接面と同一面上に位置する、又は前記摺接面よりも前記隠蔽材の表面から離れた第２位置とに移動可能であることを要旨とする。
【０００７】
また、探知具について、前記被覆部材は、前記第１位置と前記第２位置との間を、前記摺接面の面方向に沿ってスライド移動可能に前記筐体に組付けられていてもよい。
また、探知具について、前記筐体は、前記被覆部材がスライド移動するスライド方向に長手が延びるスライド溝と、前記被覆部材の前記第２位置において、前記摺接面よりも凹み前記被覆部材を収納する収容凹部と、を備え、前記スライド溝は、前記スライド方向の前記第１位置側に位置する溝部と、当該溝部よりも前記スライド方向の前記第２位置側において前記溝部に連続し、かつ前記摺接面と反対側に向けて広がり、前記溝部より幅広な拡張溝部とから構成され、前記被覆部材は、前記スライド溝に挿入される掛止突部を備え、前記被覆部材が前記第２位置に位置するとき、前記拡張溝部に前記掛止突部が入り込むことで、前記被覆部材は前記収容凹部に収納される位置に移動可能であってもよい。
【０００８】
また、探知具について、前記筐体は、前記摺接面及び前記収容凹部を有する基部と、当該基部とともに前記探知部を収納するカバー本体と、を有するとともに、前記基部と前記カバー本体との間に前記スライド溝が位置し、前記基部と前記カバー本体は、前記スライド溝の短手方向に沿って溝幅を狭めるように相対的に移動可能であり、前記被覆部材が前記第１位置に位置するとき、前記マーキング部と前記摺接面との相対的な移動を規制する規制構造を有していてもよい。
【０００９】
また、探知具について、前記基部と前記カバー本体の相対的な移動がない状態では、前記マーキング部は、前記摺接面よりも前記筐体の内側へ控えた位置にあり、前記基部と前記カバー本体の相対的な移動により、前記マーキング部と前記摺接面は、前記摺接面に交差する方向へ相対的に移動し、当該相対的な移動により前記マーキング部は前記摺接面よりも飛び出し可能であり、前記被覆部材が前記第１位置に位置するとき、前記溝部に前記掛止突部が入り込むことで前記規制構造を構成してもよい。
【００１０】
また、探知具について、前記筐体は、前記基部と前記カバー本体とを相対的に移動させるために軸支する軸支部を備え、前記カバー本体を前記隠蔽材の表面に向かって押し付けることで、前記軸支部を傾動中心として前記基部に対し前記カバー本体が相対的に傾動し、前記摺接面よりも前記筐体の内側へ控えた位置に設けられた前記マーキング部を前記摺接面よりも飛び出させてもよい。
【発明の効果】
【００１１】
本発明によれば、マーキング部を露出させたときに被覆部材が紛失することを抑制できる。
【図面の簡単な説明】
【００１２】
【図１】壁材裏側の配線用ボックスの永久磁石を磁石探知機で探知する状態の斜視図。
【図２】磁石探知機を被覆部材側から示す斜視図。
【図３】磁石探知機を示す分解斜視図。
【図４】筐体と被覆部材を示す分解斜視図。
【図５】被覆部材が第２位置に位置し、マーキング部が飛び出した状態の斜視図。
【図６】被覆部材が第１位置に位置する状態を示す側面図。
【図７】被覆部材が第１位置に位置する状態を示す断面図。
【図８】被覆部材が第２位置に位置する状態を示す側面図。
【図９】マーキング部を摺接面より飛び出させた状態を示す側面図。
【発明を実施するための形態】
【００１３】
以下、探知具を具体化した一実施形態を図１〜図９にしたがって説明する。なお、以下の説明において、配線用ボックス１１及び磁石探知機２０の「上」「下」「左」「右」「表（前）」「裏（後）」は、図１に示す矢印Ｚ１の方向を上下方向とし、矢印Ｚ２の方向を左右方向とし、矢印Ｚ３の方向を表裏（前後）方向とする。
【００１４】
まず、配設体としての配線用ボックス１１について説明する。
図１に示すように、合成樹脂製の配線用ボックス１１は、矩形板状の底壁１３と、底壁１３の四側周縁から立設された周壁１２とを有し、前面に開口する有底四角箱状である。配線用ボックス１１は、上壁に、図示しないケーブルを配線貫通可能な配線貫通部１２ａを備える。配線用ボックス１１は、底壁１３から開口側へ突出する円筒状の支持部１４を備える。配線用ボックス１１は、支持部１４に支持された永久磁石１５を備える。永久磁石１５は、配線用ボックス１１の開口に向けて露出している。
【００１５】
配線用ボックス１１は、左側壁を貫通する取付孔１６を複数備える。そして、建築物を構築するための構造体としての柱１７に対して、取付孔１６からねじ１９をねじ込むことにより、配線用ボックス１１が柱１７に取り付けられる。柱１７に取り付けられた配線用ボックス１１の開口側には、隠蔽材としての壁材１８が配置され、配線用ボックス１１は壁材１８の裏側に隠蔽される。
【００１６】
次に、磁石探知機２０について説明する。磁石探知機２０は、壁材１８の裏側に配設された被探知体としての永久磁石１５を壁材１８の表側から探知する探知具である。
図１又は図２に示すように、磁石探知機２０は、外郭を構成する筐体２１と、筐体２１に組付けられる被覆部材２２と、図３に示すように、筐体２１の内部に設けられた探知部６０とを備える。図１又は図２に示すように、筐体２１は、合成樹脂材料により矩形箱状に形成されるとともに、永久磁石１５の探知の際に壁材１８の表面に沿わす摺接面３４を後面に備える。被覆部材２２は、摺接面３４の面方向に沿う長手方向にスライド移動可能に筐体２１に組付けられている。以下の説明において、被覆部材２２がスライド移動する方向をスライド方向Ｓとする。スライド方向Ｓは、筐体２１の長手方向と一致する。なお、摺接面３４に沿い、かつスライド方向Ｓに直交する方向を、筐体２１の幅方向Ｗとする。幅方向Ｗは、筐体２１の短手方向と一致する。また、摺接面３４に直交する方向を、筐体２１の厚さ方向Ｄとする。
【００１７】
図３に示すように、筐体２１は、一面に開口する有底四角箱状の基部３０と、一面に開口する有蓋四角箱状のカバー本体５０と、から構成されている。筐体２１は、基部３０とカバー本体５０の開口面同士を対向させて組み付けて構成されている。
【００１８】
図３又は図４に示すように、基部３０は、矩形板状の底板３１と、底板３１の一対の長縁部から立設された長側壁３２と、底板３１の一対の短縁部から立設された短側壁３３とを備える。底板３１は、外面に平坦面状の摺接面３４を備える。摺接面３４は、底板３１の外面のうち、スライド方向Ｓの一端（上端）寄りの一部に設けられるとともに、スライド方向Ｓのほぼ中央から他端（下端）までに設けられている。このため、摺接面３４は、スライド方向Ｓの両側に隔てられている。基部３０は、スライド方向Ｓの両側に隔てられた摺接面３４同士の間に収容凹部３５を備え、収容凹部３５は摺接面３４よりも凹む。厚さ方向Ｄ外側から収容凹部３５を見た場合、収容凹部３５の内底面３５ａは矩形状である。収容凹部３５は、摺接面３４に平行な内底面３５ａと、スライド方向Ｓにおける内底面３５ａの両端縁から立ち上がる内側面３５ｂとを有する。内底面３５ａ及び内側面３５ｂは平坦面状である。
【００１９】
基部３０は、スライド方向Ｓの一端寄りの摺接面３４から凹む傾動用凹部３６を備える。厚さ方向Ｄの外側から傾動用凹部３６を見た場合、傾動用凹部３６は矩形状である。傾動用凹部３６の底面は、収容凹部３５の内底面３５ａよりも凹んだ位置にある。基部３０は、スライド方向Ｓの中央から他端までの略半分に設けられた摺接面３４のほぼ中央に貫通孔３７を備えるとともに、貫通孔３７よりも収容凹部３５寄りに位置決め凹部３４ａを備える。位置決め凹部３４ａは円穴状である。
【００２０】
また、基部３０は、各長側壁３２に設けられたスライド溝３８を備える。つまり、筐体２１は幅方向Ｗの両端面にスライド溝３８を備える。よって、筐体２１は、スライド溝３８と上記収容凹部３５とを備える。各スライド溝３８は、各長側壁３２の外面から凹む。スライド溝３８は、スライド方向Ｓに長手が延びる。スライド溝３８は、スライド方向Ｓのほぼ中央から一端までを構成する拡張溝部３９と、スライド方向Ｓのほぼ中央から他端までを構成する溝部４０とから構成されている。
【００２１】
図６に示すように、スライド方向Ｓへの拡張溝部３９の寸法は、スライド方向Ｓへの収容凹部３５の寸法と同じである。ここで、幅方向Ｗに沿って基部３０を見た場合、スライド方向Ｓにおける拡張溝部３９の各端縁を通過し、かつ厚さ方向Ｄに延びる仮想線Ｌ１を想定すると、この仮想線Ｌ１は、収容凹部３５の各内側面３５ｂを通過している。このため、拡張溝部３９と収容凹部３５とは、厚さ方向Ｄにおいて同じ位置に設けられている。
【００２２】
厚さ方向Ｄに沿う拡張溝部３９の寸法は、厚さ方向Ｄに沿う溝部４０の寸法より大きい。つまり、スライド溝３８の短手方向への寸法である溝幅は、拡張溝部３９の方が溝部４０より大きく、幅広である。拡張溝部３９は、溝部４０と比べると、厚さ方向Ｄに沿って摺接面３４と反対側に向けて広がっている。スライド溝３８の厚さ方向Ｄに対向する端縁のうち、摺接面３４寄りの端縁を第１端縁３８ａとし、摺接面３４から遠い端縁を第２端縁３８ｂとすると、拡張溝部３９が設けられることにより、第２端縁３８ｂは、拡張溝部３９と溝部４０との境に段差を有する。一方、第１端縁３８ａはスライド方向Ｓへ一直線状に延び、拡張溝部３９と溝部４０との間に段差はない。
【００２３】
図３に示すように、基部３０は、各長側壁３２の内面に回動軸３２ａを備える。各回動軸３２ａは、各長側壁３２のスライド方向Ｓの一端側の内面から突出する。一対の回動軸３２ａは幅方向Ｗに対向している。基部３０は、各長側壁３２のスライド方向Ｓの他端側の内面に抜止突起３２ｂを備える。一対の抜止突起３２ｂは幅方向Ｗに対向している。各長側壁３２において、底板３１からの突出方向の先端を先端縁とすると、各長側壁３２は、先端縁から底板３１に向けて凹む切欠部３２ｃを備える。
【００２４】
基部３０は、スライド方向Ｓの他端側の短側壁３３に基部側凹部３３ａを備える。基部側凹部３３ａは、幅方向Ｗに延びる短側壁３３の端縁中央に設けられ、短側壁３３の端縁から底板３１に向けて矩形に凹む。
【００２５】
基部３０は、スライド方向Ｓの一端側の短側壁３３に一対の水平器保持部３３ｂを備える。一対の水平器保持部３３ｂは、短側壁３３の外面に設けられ、幅方向Ｗに間を空けて立設されている。そして、短側壁３３の外面と一対の水平器保持部３３ｂとで囲まれる空間に水平器４２が保持されている。したがって、磁石探知機２０は、水平器４２を備え、水平器４２は基部３０に一体化されている。
【００２６】
次に、カバー本体５０について説明する。
図１又は図３に示すように、カバー本体５０は、矩形板状のカバー板５１と、カバー板５１の一対の長縁部から立設されたカバー長側壁５２と、カバー板５１の一対の短縁部から立設されたカバー短側壁５３とを備える。カバー板５１は、スライド方向Ｓのほぼ中央から一端までの部分に複数の透孔５１ａを備える。複数の透孔５１ａは７行×７列のマトリックス状に配列されている。また、スライド方向Ｓに隣り合う透孔５１ａ間の間隔及び、幅方向Ｗに隣り合う透孔５１ａ間の間隔は等しい。カバー板５１は、スライド方向Ｓの他端側に、スイッチ用貫通孔５１ｂを備える。
【００２７】
カバー本体５０は、各カバー長側壁５２の外面から幅方向Ｗに凹む把持用凹部５５を備える。各把持用凹部５５は、スライド方向Ｓの他端側に設けられている。各把持用凹部５５は、各カバー長側壁５２の外面から見て矩形状に凹む。カバー本体５０は、把持用凹部５５の縁に沿って延びる枠部５６を備える。枠部５６は、カバー長側壁５２の外面に直交するようにカバー長側壁５２の外面から突出する。各カバー長側壁５２において、カバー板５１からの突出方向の先端を先端縁とすると、各枠部５６はカバー長側壁５２の先端縁よりも突出する当接用端縁５６ａを備える。当接用端縁５６ａは、スライド方向Ｓへ直線状に延びる。
【００２８】
カバー本体５０は、各カバー長側壁５２に軸孔５２ａを備える。各軸孔５２ａは、各カバー長側壁５２のスライド方向Ｓの一端側に穿設されている。また、カバー本体５０は、各カバー長側壁５２に抜け止め孔５２ｂを備える。各抜け止め孔５２ｂは、厚さ方向Ｄに長手が延びる長孔である。一対の抜け止め孔５２ｂは幅方向Ｗに対向している。図７に示すように、カバー本体５０は、カバー板５１の内面に一対のボス部５４を備える。一対のボス部５４は、カバー板５１の内面のうち、スライド方向Ｓの他端側の内面において、幅方向Ｗの両側に配置されている。
【００２９】
カバー本体５０は、スライド方向Ｓの他端側のカバー短側壁５３にカバー側凹部５３ａを備える。カバー側凹部５３ａは、幅方向Ｗに延びるカバー短側壁５３の端縁中央に設けられ、カバー短側壁５３の端縁から底板３１に向けて矩形に凹む。スライド方向Ｓの一端側のカバー短側壁５３には、カバー本体５０の内側に向けて凹む水平器用凹部５３ｂが設けられている。
【００３０】
次に、筐体２１内に収納される探知部６０について説明する。図３に示すように、探知部６０は、スライド方向Ｓに長手が延びる形状である。探知部６０は、長手方向の一端側が図示しないねじによりカバー本体５０に固定されるとともに、長手方向の他端側が、探知部６０を貫通したカバー本体５０のボス部５４にねじが螺合されてカバー本体５０に固定されている。
【００３１】
図３に示すように、探知部６０はスライド方向Ｓに長手が延びる基板６１を備える。探知部６０は、基板６１の一面において、長手方向のほぼ中央から一端までの領域に配列された複数個のＬＥＤランプＬを備える。複数個のＬＥＤランプＬは、７行×７列のマトリックス状に配列されている。また、探知部６０は、基板６１の一面において長手方向の他端側に電源スイッチ６２を備える。
【００３２】
そして、図７に示すように、探知部６０の各ＬＥＤランプＬは、カバー本体５０の透孔５１ａに各別に対応するように配置されている。このため、各ＬＥＤランプＬは、透孔５１ａを介して視認可能となっている。また、探知部６０の電源スイッチ６２はスイッチ用貫通孔５１ｂに挿入されている。このため、電源スイッチ６２は、スイッチ用貫通孔５１ｂを貫通して筐体２１の外部に露出し、筐体２１の外側から押下できるようになっている。
【００３３】
探知部６０は、基板６１の他面において長手方向の他端側に円筒状の保持筒部６４を備え、この保持筒部６４の内側にマーキング部６５が保持されている。マーキング部６５は、スタンプである。探知部６０は、長手方向の他端側に受電プラグ６６を備える。
【００３４】
上記構成の基部３０とカバー本体５０とが一体に組付けられ、筐体２１が構成されるとともに、基部３０とカバー本体５０の間に、探知部６０が収納されている。筐体２１において、基部３０の一対の長側壁３２及び一対の短側壁３３で形成される矩形枠の内側に、カバー本体５０の一対のカバー長側壁５２及び一対のカバー短側壁５３で形成される矩形枠が入り込んでいる。
【００３５】
図８に示すように、筐体２１において、基部３０の回動軸３２ａは、カバー本体５０の軸孔５２ａに挿入され、回動軸３２ａと軸孔５２ａとから軸支部５９が構成されている。また、筐体２１において、基部３０の抜止突起３２ｂは、カバー本体５０の抜け止め孔５２ｂに挿入されている。そして、基部３０とカバー本体５０は、軸支部５９の回動軸３２ａを傾動中心として相対的に傾動可能に構成されている。よって、基部３０とカバー本体５０は、相対的に移動可能である。
【００３６】
図７に示すように、筐体２１内において、カバー本体５０に固定された探知部６０の長手方向の他端側には、付勢バネ４５が当接している。各付勢バネ４５は、底板３１と、基板６１の他面との間に介装されている。付勢バネ４５は、カバー本体５０と基部３０とを互いに離間する方向へ付勢している。一方、基部３０とカバー本体５０は、付勢バネ４５の付勢力に抗して互いに近付くように傾動可能である。基部３０及びカバー本体５０のうちの一方に対する他方の傾動範囲は、抜け止め孔５２ｂの長手方向への寸法である。
【００３７】
図６に示すように、筐体２１において、各長側壁３２の切欠部３２ｃには、各カバー長側壁５２の枠部５６の一部が入り込み、各切欠部３２ｃは、カバー長側壁５２の一部によって閉じられている。枠部５６の一部は把持用凹部５５を囲むため、各切欠部３２ｃの内側には把持用凹部５５の一部が入り込んでいる。スライド溝３８の第２端縁３８ｂのうち、溝部４０に沿う部分には、枠部５６の当接用端縁５６ａが沿うように並んでいる。このため、スライド溝３８の溝部４０は、溝部４０に沿う第１端縁３８ａと当接用端縁５６ａによって区画されているとも言える。よって、スライド溝３８は、厚さ方向Ｄにおいて、基部３０とカバー本体５０との間に位置しているとも言える。そして、溝部４０に沿う第１端縁３８ａと当接用端縁５６ａとの間に傾動許容空間Ｍが区画されている。傾動許容空間Ｍについては後述する。
【００３８】
磁石探知機２０は、筐体２１におけるスライド方向Ｓの一端部に水平器４２を備える。この水平器４２は、基部３０の水平器保持部３３ｂに保持されるとともに、水平器用凹部５３ｂからカバー板５１の前面に露出している。磁石探知機２０は、筐体２１におけるスライド方向Ｓの他端側に接続口４４を備える。この接続口４４は、基部３０の基部側凹部３３ａと、カバー本体５０のカバー側凹部５３ａとが組み合わさって矩形状に形成されている。接続口４４には、探知部６０の受電プラグ６６が露出している。
【００３９】
次に、被覆部材２２について説明する。
図３又は図４に示すように、被覆部材２２は、平板状の被覆本体２３と、被覆本体２３の長手方向の両端縁から延設された一対の取付片２４と、各取付片２４から互いの取付片２４に向けて突出する掛止突部２５とを有する。
【００４０】
筐体２１の厚さ方向Ｄへの被覆本体２３の寸法を厚さとする。また、厚さ方向Ｄに沿う収容凹部３５の寸法を深さとする。被覆本体２３の厚さは、収容凹部３５の深さと同じ又は僅かに小さい。被覆本体２３は、基部３０の摺接面３４又は収容凹部３５の内底面３５ａと対向する面に内面２３ｂを備え、被覆本体２３の厚さ方向における内面２３ｂの反対面に外面２３ａを備える。被覆本体２３は、内面２３ｂに位置決め突起２３ｃを備える。この位置決め突起２３ｃは、後述する第１位置Ｐ１に被覆部材２２が位置したときに、基部３０の位置決め凹部３４ａに掛止して被覆部材２２を第１位置Ｐ１に位置決めする。
【００４１】
被覆本体２３の一対の長縁のうち、一方の長縁寄りにおいて、被覆本体２３と各取付片２４とが交差する部分は、被覆本体２３及び取付片２４に亘って凹む形状である。被覆部材２２は、被覆本体２３及び筐体２１に亘って凹む部分に指掛け部２６を備える。指掛け部２６は、被覆部材２２を操作するときに指を掛ける部分である。また、被覆部材２２は、被覆本体２３の他方の長縁の中央部から突出する操作突片２３ｄを備える。
【００４２】
各掛止突部２５は、各取付片２４における被覆本体２３からの突出方向の先端縁に設けられている。各掛止突部２５は、被覆本体２３の短手方向、つまり、取付片２４の長手方向の全体に亘って設けられている。
【００４３】
そして、被覆部材２２は、各掛止突部２５がスライド溝３８に挿入されている。このため、被覆部材２２をスライド方向Ｓに操作すると、スライド溝３８によって掛止突部２５がスライド方向Ｓに沿うようにガイドされ、被覆部材２２がスライド方向Ｓへ移動する。
【００４４】
図２又は図５に示すように、磁石探知機２０において、被覆部材２２は第１位置Ｐ１と第２位置Ｐ２の２位置の間でスライド移動可能に筐体２１に組付けられている。第１位置Ｐ１は、マーキング部６５を被覆する位置であり、スライド方向Ｓにおいて、軸支部５９から離れた位置である。第２位置Ｐ２は、マーキング部６５を露出させ、かつ被覆部材２２の外面２３ａが摺接面３４と同一面上に位置する位置である。よって、スライド溝３８の溝部４０はスライド方向Ｓの第１位置Ｐ１側に位置し、拡張溝部３９は溝部４０よりもスライド方向Ｓの第２位置Ｐ２側において溝部４０に連続している。
【００４５】
第１位置Ｐ１は、スライド溝３８の長手方向の他端に、取付片２４の長手方向の他端が当接した位置でもある。第１位置Ｐ１に位置する被覆部材２２は、被覆本体２３の全体が摺接面３４上に位置している。被覆部材２２が第１位置Ｐ１に位置するとき、マーキング部６５は摺接面３４より筐体２１の内側へ控えた位置にある。
【００４６】
図６又は図７に示すように、被覆部材２２が第１位置Ｐ１に位置しているとき、各掛止突部２５は、溝部４０の第１端縁３８ａと、カバー本体５０の当接用端縁５６ａとの間に位置し、各掛止突部２５は、第１端縁３８ａと当接用端縁５６ａに当接している。つまり、第１端縁３８ａと、当接用端縁５６ａとの間に掛止突部２５が介在している。このため、厚さ方向Ｄに対向する基部３０の一部とカバー本体５０の一部に掛止突部２５が当接し、この当接により基部３０とカバー本体５０の相対的な移動が規制されている。よって、被覆部材２２が第１位置Ｐ１に位置するとき、被覆部材２２によって、基部３０とカバー本体５０の相対的な移動が規制されるようになっている。その結果、被覆部材２２が第１位置Ｐ１に位置するとき、マーキング部６５と摺接面３４との相対的な移動が規制される。したがって、溝部４０と、その溝部４０に入り込んだ掛止突部２５とにより、マーキング部６５と摺接面３４との相対的な移動を規制する規制構造が構成されている。
【００４７】
第１位置Ｐ１にある被覆部材２２を、スライド方向Ｓの一端に向けてスライド移動させることで、被覆部材２２を第１位置Ｐ１から第２位置Ｐ２に向けて移動させることができる。図５又は図８に示すように、第２位置Ｐ２は、被覆本体２３全体が収容凹部３５に収容された位置である。被覆部材２２の第２位置Ｐ２は、スライド溝３８の長手方向の一端に、取付片２４の長手方向の一端が当接した位置でもある。
【００４８】
図５に示すように、被覆部材２２が第２位置Ｐ２に位置しているとき、操作突片２３ｄは、傾動用凹部３６に入り込んでいる。そして、被覆部材２２が第２位置Ｐ２に位置しているとき、図８に示すように、被覆本体２３の外面２３ａは摺接面３４と同一面上に位置している。また、被覆部材２２が第２位置Ｐ２に位置しているとき、各掛止突部２５はスライド溝３８の拡張溝部３９に入り込み、拡張溝部３９の第２端縁３８ｂに当接している。被覆部材２２が第２位置Ｐ２に位置しているときの掛止突部２５の位置は、被覆部材２２が第１位置Ｐ１に位置しているときの掛止突部２５の位置よりも摺接面３４から離れた位置である。
【００４９】
上述したように、拡張溝部３９を摺接面３４から離れる方向へ拡張し、厚さ方向Ｄへの寸法を溝部４０より拡張溝部３９を大きくするとともに、摺接面３４から収容凹部３５を凹ませている。これにより、拡張溝部３９に掛止突部２５を入り込ませることで、被覆部材２２を収容凹部３５に収納させる位置に移動可能であり、被覆部材２２の全体を摺接面３４よりも控えた位置に位置させ、被覆本体２３の外面２３ａを摺接面３４と同一面に位置させることができる。
【００５０】
また、溝部４０と異なり、拡張溝部３９にはカバー本体５０の端縁が沿って配設されておらず、拡張溝部３９に配置された掛止突部２５に対しカバー本体５０は当接していない。このため、第２位置Ｐ２に被覆部材２２が位置しているとき、掛止突部２５は、溝部４０に入り込んで折らず、掛止突部２５によって基部３０とカバー本体５０の相対的な移動が規制されることはない。つまり、被覆部材２２が第２位置Ｐ２に位置するときは、軸支部５９を中心とした基部３０及びカバー本体５０の傾動が可能になっている。そして、被覆部材２２が第２位置Ｐ２に位置するとき、拡張溝部３９に掛止突部２５が入り込むことで、スライド溝３８の溝幅を狭めるように基部３０とカバー本体５０は相対的に移動可能となる。したがって、溝部４０は傾動許容空間Ｍを構成することになる。
【００５１】
なお、被覆部材２２が第２位置Ｐ２に位置しているとき、操作突片２３ｄを押下すると、図８の２点鎖線に示すように、傾動用凹部３６の凹みを利用して操作突片２３ｄを押し下げることができる。すると、被覆部材２２を傾けることができ、被覆本体２３においてマーキング部６５寄りの端縁を、摺接面３４よりも立ち上がらせることができる。そして、このまま被覆部材２２を第１位置Ｐ１に向けて押すと、被覆本体２３と収容凹部３５の内側面３５ｂとの当接が回避され、被覆本体２３を摺接面３４上に乗り上げさせることができる。さらに、被覆部材２２を第１位置Ｐ１に向けて押すことで、被覆部材２２を第１位置Ｐ１に位置させることができる。
【００５２】
したがって、被覆部材２２は、マーキング部６５を被覆する第１位置Ｐ１と、マーキング部６５を露出させる第２位置Ｐ２との間を移動可能である。また、被覆部材２２の一対の掛止突部２５はそれぞれスライド溝３８の第１端縁３８ａに当接する。この当接により、筐体２１の厚さ方向Ｄに沿って被覆部材２２が筐体２１から外れることが規制されている。また、スライド溝３８のスライド方向Ｓの各端縁への掛止突部２５の当接により、筐体２１のスライド方向Ｓへの被覆部材２２の外れが規制されている。
【００５３】
次に、磁石探知機２０の使用方法を作用とともに説明する。なお、図１に示すように、柱１７には配線用ボックス１１が取り付けられるとともに、配線用ボックス１１の開口側には壁材１８が配置され、配線用ボックス１１は壁材１８の裏側に隠蔽されている。また、図２に示すように、被覆部材２２は、第１位置Ｐ１に位置し、マーキング部６５は被覆部材２２の被覆本体２３によって被覆されている。
【００５４】
まず、使用者は、電源スイッチ６２を押下して探知部６０を駆動させる。次に、使用者は、第１位置Ｐ１に位置する被覆部材２２に対し、指掛け部２６に指を掛けて被覆部材２２をスライド方向Ｓの一端に向けて押す。被覆部材２２の位置決め突起２３ｃを、位置決め凹部３４ａから外し、被覆部材２２をスライド方向Ｓの一端に向かわせる。
【００５５】
すると、掛止突部２５がスライド溝３８の溝部４０に沿って移動するため、被覆部材２２がスライド方向Ｓの一端に向けてスライド移動する。このとき、被覆本体２３の内面２３ｂが摺接面３４に摺接する。
【００５６】
そして、被覆部材２２がスライド方向Ｓの一端にまで移動し、掛止突部２５が、スライド溝３８におけるスライド方向Ｓの一端縁に当接する。ここで、拡張溝部３９の溝幅を利用して、掛止突部２５の長縁部が第２端縁３８ｂに当接するまで被覆部材２２を収容凹部３５に向けて押下する。すると、図８に示すように、被覆本体２３が収容凹部３５に入り込むとともに、操作突片２３ｄが傾動用凹部３６に入り込む。被覆本体２３の外面２３ａが摺接面３４と同一面上に位置するとともに、被覆部材２２が第２位置Ｐ２に位置する。被覆部材２２が第２位置Ｐ２に位置することにより、マーキング部６５が摺接面３４の貫通孔３７から露出する。ただし、マーキング部６５は、摺接面３４よりも筐体２１の内側へ控えた位置にあり、摺接面３４より飛び出していない。
【００５７】
そして、両方の把持用凹部５５に指を入れて磁石探知機２０を挟持し、摺接面３４を壁材１８の表面に摺接させながら、探知部６０によって配線用ボックス１１の永久磁石１５を探知させる。探知部６０によって永久磁石１５が探知されると、永久磁石１５の位置がＬＥＤランプＬの表示によって表示される。なお、永久磁石１５の探知方法は詳述しないが、４９個のＬＥＤランプＬの中心のＬＥＤランプＬが点灯すると、マーキング部６５が対向する位置に永久磁石１５が位置している。
【００５８】
次に、図９に示すように、使用者は、カバー本体５０を壁材１８の表面に向かって押し付ける。すると、軸支部５９の回動軸３２ａを傾動中心として基部３０に対しカバー本体５０が相対的に傾動する。つまり、基部３０とカバー本体５０が相対的に移動する。このとき、付勢バネ４５の付勢力に抗して、カバー本体５０とともに探知部６０が基部３０に向けて押し付けられるが、貫通孔３７に挿入されているマーキング部６５は、貫通孔３７内において壁材１８に向けて押し出される。すると、摺接面３４よりも筐体２１の内側へ控えた位置に設けられたマーキング部６５が、貫通孔３７から摺接面３４の外に飛び出し、マーキング部６５によって壁材１８にマーキングされる。
【００５９】
次に、磁石探知機２０による永久磁石１５の探知及びマーキングが終了した後、使用者は、磁石探知機２０を壁材１８から離し、その磁石探知機２０において、操作突片２３ｄを押下し、傾動用凹部３６の凹みを利用して操作突片２３ｄを押し下げる。すると、被覆本体２３におけるマーキング部６５寄りの端縁が摺接面３４よりも立ち上がるとともに、拡張溝部３９の第２端縁３８ｂに当接していた掛止突部２５も立ち上がり、掛止突部２５の先端が、溝部４０の第２端縁３８ｂの高さにまで立ち上がる。
【００６０】
そのまま被覆部材２２を第１位置Ｐ１に向けて押すと、掛止突部２５が拡張溝部３９から溝部４０に移動し、その溝部４０に沿って移動するため、被覆部材２２がスライド方向Ｓの他端に向けてスライド移動する。このとき、被覆本体２３の内面２３ｂが摺接面３４に摺接する。
【００６１】
そして、図６に示すように、掛止突部２５が、スライド溝３８におけるスライド方向Ｓの他端縁に当接するとともに、被覆部材２２の位置決め突起２３ｃが位置決め凹部３４ａに入り込む。すると、マーキング部６５が被覆本体２３によって覆われ、被覆部材２２が第１位置Ｐ１に位置する。被覆部材２２が第１位置Ｐ１に位置しているとき、各掛止突部２５は、溝部４０における第１端縁３８ａと、枠部５６の当接用端縁５６ａに当接する。このため、第１位置Ｐ１に位置する被覆部材２２により、厚さ方向Ｄへの基部３０とカバー本体５０の傾動が規制される。また、マーキング部６５は、摺接面３４よりも控えた位置にあり、摺接面３４から飛び出していない。
【００６２】
上記実施形態によれば、以下のような効果を得ることができる。
（１）磁石探知機２０は、筐体２１に組付けられた被覆部材２２を備える。被覆部材２２は、マーキング部６５を被覆する第１位置Ｐ１と、マーキング部６５を露出させる第２位置Ｐ２との間で移動可能である。このため、磁石探知機２０の使用時、被覆部材２２を第２位置Ｐ２に位置させることで、筐体２１に被覆部材２２を組付けたままマーキング部６５を摺接面３４から露出させることができ、被覆部材２２が紛失することを抑制できる。
【００６３】
（２）被覆部材２２が第１位置Ｐ１に位置しているとき、マーキング部６５は、摺接面３４よりも筐体２１の内側へ控えた位置にある。このため、マーキング部６５を摺接面３４から露出させるため、被覆部材２２を第２位置Ｐ２に移動させるとき、マーキング部６５と被覆部材２２の干渉を抑制できる。また、被覆部材２２を第２位置Ｐ２に位置させても、マーキング部６５が壁材１８に接触することを抑制でき、磁石探知機２０を壁材１８に沿って移動させるとき、マーキング部６５によって壁材１８を汚すことを抑制できる。そして、被覆部材２２を第２位置Ｐ２に位置させた状態で、摺接面３４を壁材１８の表面に当てたままカバー本体５０を壁材１８の表面に向かって押し付けることで、マーキング部６５を摺接面３４から飛び出させ、壁材１８にマーキングできる。
【００６４】
（３）被覆部材２２が第１位置Ｐ１に位置するとき、被覆部材２２の掛止突部２５は、スライド溝３８の第１端縁３８ａと、カバー本体５０が備える枠部５６の当接用端縁５６ａに当接する。この当接により、基部３０とカバー本体５０の相対的な移動を規制でき、カバー本体５０と一体の探知部６０が移動することを規制できる。その結果、マーキング部６５が摺接面３４から飛び出すことを抑制できる。
【００６５】
（４）軸支部５９によって、基部３０とカバー本体５０とは相対的に傾動可能に支持されている。そして、基部３０の摺接面３４を壁材１８に当接させ、カバー本体５０を壁材１８の表面に向かって押し付けることで、基部３０に対しカバー本体５０が相対的に傾動し、摺接面３４より控えた位置にあるマーキング部６５が摺接面３４から飛び出る。よって、カバー本体５０を壁材１８に押し付ける動作により、マーキング部６５を摺接面３４に押し付けることができ、マーキングを容易に行うことができる。
【００６６】
（５）スライド溝３８は、拡張溝部３９と溝部４０を有し、被覆部材２２が第１位置Ｐ１に位置するとき、被覆部材２２の掛止突部２５は溝部４０に位置し、溝部４０に位置する第１端縁３８ａと、枠部５６の当接用端縁５６ａとに当接する。この当接により、基部３０とカバー本体５０の相対的な傾動を抑制でき、マーキング部６５が摺接面３４から飛び出ることを抑止できる。
【００６７】
（６）スライド溝３８は、拡張溝部３９と溝部４０を有し、被覆部材２２が第２位置Ｐ２に位置するとき、被覆部材２２の掛止突部２５は拡張溝部３９に位置し、拡張溝部３９の拡張した幅を利用して、被覆部材２２を収容凹部３５に入り込ませることができる。その結果、被覆本体２３の外面２３ａと摺接面３４を同一面上に位置させることができ、磁石探知機２０を壁材１８の表面に摺接させやすい。
【００６８】
（７）スライド溝３８により、被覆部材２２の掛止突部２５を筐体２１のスライド方向Ｓへ移動させることができ、被覆部材２２をスライド方向Ｓへスライド移動するようにガイドさせることができる。
【００６９】
（８）被覆部材２２は、被覆本体２３の長手方向の両端から取付片２４に亘って凹む指掛け部２６を備える。この指掛け部２６に指を掛けることで、被覆部材２２を押してスライド移動させる操作が行いやすい。
【００７０】
（９）被覆部材２２が第１位置Ｐ１に位置するとき、被覆部材２２の掛止突部２５は、スライド溝３８の第１端縁３８ａと枠部５６の当接用端縁５６ａに当接する。この当接により、基部３０及びカバー本体５０の相対的な移動を規制でき、カバー本体５０と一体の探知部６０が基部３０に対し移動することを規制できる。このため、基部３０及びカバー本体５０の相対的な移動によって、接続口４４が閉じるように変形することを抑制でき、受電プラグ６６に接続した充電ケーブルが損傷を受けることを抑制できる。
【００７１】
（１０）水平器４２は、筐体２１における軸支部５９側に配置されている。このため、カバー本体５０を壁材１８に向けて押し付け、カバー本体５０を傾動させたとき、軸支部５９寄りの水平器４２は傾動の影響が僅かであり、水平器４２を用いて水平出しをしながらマーキングするときの影響を僅かにできる。
【００７２】
（１１）被覆部材２２は位置決め突起２３ｃを備え、筐体２１は摺接面３４に位置決め凹部３４ａを備える。このため、被覆部材２２を第１位置Ｐ１に位置させたとき、位置決め突起２３ｃが位置決め凹部３４ａに掛止し、被覆部材２２を第１位置Ｐ１に位置決めできる。よって、第１位置Ｐ１に位置している被覆部材２２が第１位置Ｐ１から位置ズレすることを抑制できる。
【００７３】
（１２）被覆部材２２は操作突片２３ｄを備え、基部３０は摺接面３４から凹む傾動用凹部３６を備える。第２位置Ｐ２に位置する被覆部材２２を第１位置Ｐ１に移動させるとき、傾動用凹部３６の深さを利用して操作突片２３ｄを押下することで、被覆部材２２を立ち上がらせることができる。このため、被覆部材２２の端縁が収容凹部３５の内側面３５ｂに干渉することを抑制し、被覆部材２２を第１位置Ｐ１に向けて移動させやすい。
【００７４】
なお、上記実施形態は以下のように変更してもよい。
○  被覆部材２２の操作突片２３ｄは無くてもよく、この場合、基部３０の傾動用凹部３６も無くてもよい。
【００７５】
○  被覆本体２３の位置決め突起２３ｃは無くてもよく、この場合、摺接面３４の位置決め凹部３４ａも無くてもよい。
○  被覆本体２３の内面２３ｂに位置決め凹部を設け、摺接面３４に位置決め突起を設けてもよい。
【００７６】
○  磁石探知機２０は水平器４２を備えなくてもよい。
○  被覆部材２２の指掛け部２６は無くてもよい。
○  スライド溝３８は、拡張溝部３９と溝部４０で溝幅が異なるように形成せず、スライド溝３８全体に亘って拡張溝部３９と同じ幅広な溝幅であってもよい。実施形態では、溝部４０を第１端縁３８ａと、基部３０の当接用端縁５６ａで区画していたが、スライド溝３８全体を拡張溝部３９と同じ溝幅にする場合は、当接用端縁５６ａは無くてもよい。
【００７７】
○  筐体２１において、軸支部５９をスライド方向Ｓの中央付近に配置して傾動可能にしてもよい。
○  筐体２１の軸支部５９は無くし、基部３０とカバー本体５０とを全体的に厚さ方向Ｄへ相対的に移動可能としてもよい。
【００７８】
○  収容凹部３５の深さを示す内側面３５ｂの短手方向への寸法を、被覆本体２３の厚さより大きくしてもよい。そして、被覆部材２２が第２位置Ｐ２に位置するとき、被覆本体２３の外面２３ａを摺接面３４よりも筐体２１の内側へ控えた位置に位置させてもよい。
【００７９】
○  カバー本体５０及び探知部６０において、厚さ方向Ｄにマーキング部６５と対向する位置に透孔を形成し、その透孔に指を挿入してマーキング部６５を摺接面３４から飛び出すように押し出し、マーキング部６５と摺接面３４を相対的に移動可能にしてもよい。
【００８０】
○  被覆部材２２は、筐体２１に対しスライド移動ではなく、傾動可能に組付けられていてもよい。例えば、被覆部材２２の各取付片２４の内面に回動軸を突設するとともに、基部３０の各長側壁３２に軸穴を設け、その軸穴に回動軸を支持させる。そして、回動軸を回動中心として被覆部材２２を第１位置Ｐ１と第２位置Ｐ２に移動可能にしてもよい。
【００８１】
○  実施形態では、被覆部材２２の掛止突部２５を溝部４０に入り込ませることで規制構造を構成したが、規制構造はこれに限らない。例えば、基部３０の長側壁３２又はカバー本体５０のカバー長側壁５２に規制部材を移動可能に設け、被覆部材２２が第１位置Ｐ１に位置するとき、溝部４０に規制部材に入り込むように移動させて、マーキング部６５と摺接面３４との相対的な移動を規制させてもよい。
【００８２】
○  被探知体は、静電気を帯びた部品であり、探知具は、探知部によって静電気を壁材１８の表側から探知する探知具であってもよい。
○  筐体２１は、相対的に移動可能な２部材（基部３０とカバー本体５０）から構成されていなくてもよく、ボックス状の筐体の１部材で構成されていてもよい。
【００８３】
○  隠蔽材は壁材１８でなく、床材や天井板であってもよい。
【符号の説明】
【００８４】
Ｓ…スライド方向、Ｐ１…第１位置、Ｐ２…第２位置、１５…被探知体としての永久磁石、１８…隠蔽材としての壁材、２０…探知具としての磁石探知機、２１…筐体、２２…被覆部材、２５…規制構造を構成する掛止突部、３０…基部、３４…摺接面、３５…収容凹部、３８…スライド溝、３９…拡張溝部、４０…規制構造を構成する溝部、５０…カバー本体、５９…軸支部、６０…探知部、６５…マーキング部。
【図１】
2020159934.tif 000003
【図２】
2020159934.tif 000004
【図３】
2020159934.tif 000005
【図４】
2020159934.tif 000006
【図５】
2020159934.tif 000007
【図６】
2020159934.tif 000008
【図７】
2020159934.tif 000009
【図８】
2020159934.tif 000010
【図９】
2020159934.tif 000011